(57)【要約】【課題】電子機器の基板上のコネクタやケーブルからの放射ノイズの低減化を目的とする。【解決手段】電子部品が搭載される回路基板のコネクタのケーブルからの放射ノイズを抑制する構造において、コネクタの外周面にケーブル矯正用の突起部材を設け、ケーブルの引出しのループを小さく、且つ高さを低くし、該矯正部材で固定した構造。【選択図】        図１
2004235398.tif 000002
【特許請求の範囲】
【請求項１】
電子部品が搭載される回路基板上のコネクタに繋がるケーブル引出し構成であって、
前記コネクタの外側の一面に、ケーブルを固定するフックをつけたことを特徴とするケーブル矯正部材及びその矯正構造。
【請求項２】
前記構成であって、コネクタに外側から固定すると共に、上部にヘッドを設けたことを特徴とするケーブル矯正部材及びその矯正構造。
【請求項３】
前記構成の回路基板がシールド材で覆われ、前記コネクタに繋がるケーブルが、該シールド材の開口部から外に引き出された構成において、開口部エッジを保護する部材にシールド材内面の方向にひさし状の突起をつけたことを特徴とするケーブル矯正部材及びその矯正構造。
【請求項４】
前記構成において、フックの材料に弾性を持たせると共に、コネクタとフック間をケーブルの束より狭くしたことを特徴とする請求項１記載のケーブル矯正部材。
【請求項５】
前記構成において、フックに塑性材料を使用すると共に、該フックでケーブルを固定することを特徴とする請求項１記載のケーブル矯正部材。
【請求項６】
前記構成において、素材に絶縁材を使用したことを特徴とする請求項３記載のケーブル矯正部材。
【請求項７】
前記構成において、筐体エッジ保護と固定を兼ねる部材と、ケーブル挿入用の弾性を持った突起を合わせ持った構造を持ったことを特徴とする請求項３記載のケーブル矯正部材。
【請求項８】
前記構成において、筐体エッジ保護と固定を兼ねる部材とフック部分が可倒して、一体構造となることを特徴とする請求項３記載のケーブル矯正部材。
【発明の詳細な説明】
【０００１】
【発明の属する技術分野】
本発明は、電子機器の不要輻射ノイズに関し、特に、電子機器の基板上のコネクタに繋がるケーブルより放射される電磁波による障害を防止する場合に好適なケーブル矯正部材及びケーブルの矯正構造に関する。
【０００２】
【従来の技術】
近年、コンピュータ等の電子装置から放射される電磁波によって周辺装置が障害を起こすことが問題となっている。このため、電子装置から放射される放射妨害波のレベルをＶＣＣＩ（情報処理装置等電波障害自主協議会）で定める規格値以下に抑えるように自主規制されている。上記規格値を超える放射妨害波は、通常はクロック性の周波数の高い電子回路が発する高調波成分であり、多くは回路基板に接続されるケーブルがアンテナとなって放射されている。
【０００３】
従来、これら放射妨害波対策としては、電子回路の信号伝送部分に、フィルターを入れたり、更にコアをつけたり、又は、伝送線路にシールドケーブルを施す等の手法がとられてきた。しかしながら、これらの方法は、伝送線路に使用している信号が放射源として支配的なときは効果が高いが、コネクタ周辺の基板の放射妨害波の漏洩が高いときには放射ノイズ低減効果が低いのが現状である。
【０００４】
ところで、従来技術においては下記のような問題があった。例えば、ケーブルの固定構造に関するものであるが、上述した放射妨害波対策のためでは無く、また、コネクタに近傍のケーブ固定構造を示唆するものでもない（例えば、特許文献１参照。）。
【０００５】
また、上記と同様にケーブルの固定構造に関するものであるが、コネクタに近傍のケーブ固定構造を示唆するものでもない（例えば、特許文献２参照。）。
【０００６】
図８は従来例に係る電子機器のプリント配線基板３０４上に設置されたコネクタ１０４と基板３０４が収納されているシールド材の上板金６０４と下板金３０５で構成され、コネクタ１０４から引き出されるケーブル１０５は、下板金３０５に設けられた開口部６０７から引き出された構造を示す図である。
【０００７】
ケーブル１０５はコネクタ１０４に繋がっている。一般的に、コネクタの構造は、脱着のしやすから引き出し方向はプリント基板３０３と直角である。横にシールド材で形成された上下板金６０４，３０５があると、横引出しのアングルはスペースが長く必要で、実用的でない。また、基板上の奥にコネクタ１０４を付けると、プリント基板３０３上のパターンがコネクタ１０４への信号線によりグランドが切断される構造となり、逆に放射ノイズが発生しやすくなることが予想される。
【０００８】
また、多くのモータやセンサが搭載されるインターフェース基板等では、コネクタ１０４がプリント基板３０４周辺に多数配置され、作業性からコネクタ１０４の向きは必然的にプリント基板３０４と直角に引き出す構造となる。このため、ケーブル１０５にもループ状の遊びが必要で、ケーブル１０５からの電磁波の漏洩を防止することが難しくなっているのが現状である。
【０００９】
【特許文献１】
特開２００１−２２４１１８号公報
【特許文献２】
特開平１０−２７１６４６号公報
【００１０】
【発明が解決しようとする課題】
本発明は、上述した点に鑑みなされたものであり、電子部品が搭載されるプリント回路基板上のコネクタに繋がるケーブル引出し構成であって、前記コネクタの外側の一面に、ケーブルを固定するフックをつけたことで、妨害波の抑制を可能としたことを特徴とするケーブル矯正部材及びその矯正構造を提供することを目的とする。
【００１１】
【課題を解決するための手段】
上記目的を達成するため、請求項１記載の発明は、電子部品が搭載される回路基板上のコネクタに繋がるケーブル引出し構成であって、
前記コネクタの外側の一面に、ケーブルを固定するフックをつけたことを特徴とするケーブル矯正部材、及び該部材を用いてケーブルを固定したその矯正構造としたことを特徴とする。
【００１２】
上記目的を達成するため、請求項２記載の発明は、前記構成であって、コネクタに外側から固定する共に、上部にヘッドを設けたことを特徴とするケーブル矯正部材及び、及び該部材を用いてケーブルを固定したその矯正構造としたことを特徴とする。
【００１３】
上記目的を達成するため、請求項３記載の発明は、前記構成の回路基板がシールド材で覆われ、前記コネクタに繋がるケーブルが、該シールド材の開口部から外に引き出された構成において、開口部エッジを保護する部材にシールド材内面の方向にひさし状の突起をつけたことを特徴としたケーブル矯正部材、及び、該部材でコネクタ直後のケーブルを押さえたその矯正構造としたことを特徴とする。
【００１４】
これらの本発明は、ケーブルのループ部分の基板からの高さを抑制することで放射ノイズの低減を可能とするものである。
【００１５】
以上、本発明を整理して要約すれば以下の構成に集約できる。
【００１６】
（１）電子部品が搭載される回路基板上のコネクタに繋がるケーブル引出し構成であって、
前記コネクタの外側の一面に、ケーブルを固定するフックをつけたことを特徴とするケーブル矯正部材及びその矯正構造。
【００１７】
（２）前記構成であって、コネクタに外側から固定すると共に、上部にヘッドを設けたことを特徴とするケーブル矯正部材及びその矯正構造。
【００１８】
（３）前記構成の回路基板がシールド材で覆われ、前記コネクタに繋がるケーブルが、該シールド材の開口部から外に引き出された構成において、開口部エッジを保護する部材にシールド材内面の方向にひさし状の突起をつけたことを特徴とするケーブル矯正部材及びその矯正構造。
【００１９】
（４）前記構成において、フックの材料に弾性を持たせると共に、コネクタとフック間をケーブルの束より狭くしたことを特徴とする前記（１）記載のケーブル矯正部材。
【００２０】
（５）前記構成において、フックに塑性材料を使用すると共に、該フックでケーブルを固定することを特徴とする前記（１）記載のケーブル矯正部材。
【００２１】
（６）前記構成において、素材に絶縁材を使用したことを特徴とする前記（３）記載のケーブル矯正部材。
【００２２】
（７）前記構成において、筐体エッジ保護と固定を兼ねる部材と、ケーブル挿入用の弾性を持った突起を合わせ持った構造を持ったことを特徴とする前記（３）記載のケーブル矯正部材。
【００２３】
（８）前記構成において、筐体エッジ保護と固定を兼ねる部材とフック部分が可倒して、一体構造となることを特徴とする前記（３）記載のケーブル矯正部材。
【００２４】
【発明の実施の形態】
以下、本発明の実施の形態を図面に基づいて詳細に説明する。
【００２５】
［第１の実施の形態］
図１は本発明の第１の実施の形態に係る電子部品が搭載されるプリント基板上にフックのケーブル矯正部材１０１を取り付けたコネクタに繋がるケーブル１０５引き出し構成を示す説明図である。
【００２６】
上記構成を詳述すると、本発明のコネクタは個別の線材を接続するタイプもので、一般的には、２０〜３０番線程度のサイズを３〜４０芯接続するもので、上下に分離されている。
【００２７】
プリント基板上には下コネクタ１０３が基板の周辺から７〜２０ｍｍ位、ここでは出力ピンで１０ｍｍの位置に半田で固定されている。この下コネクタ１０３は接続ピンが周辺ハウジングの壁に囲われて一列または二列に基板から垂直に配置されている。
【００２８】
上コネクタ１０４は一方が前記下コネクタ１０３の接続ピンと弾性構造で接続されている。上コネクタ１０４ピンの他方はケーブル１０５に接続されている。
【００２９】
下コネクタ１０３のサイズは、６×３０×７ｍｍである。上コネクタ１０４を挿すと、ケーブル１０５はこれより１５〜２０ｍｍ位高く引き出される。この状態で、ケーブル１０５は同一基板の他のコネクタから引き出されたケーブルと一緒に周辺の板金にクランプで固定されている。従って、基板を取り外すときは、ケーブルは周辺の板金に固定されたままである。上コネクタ１０４を引き抜くときはこのループ状に高くなったケーブル部分のコネクタよりを掴んで引き抜ける構造になっている。このループ状で上に張り出した遊び部分を、本発明のフック１０２部分に挟みこみ、ケーブルループ部の頂点の高さを下げる形となる。このとき、ケーブルは引っ張られて、ループ部分がそのまま小さくなるときと、ループの大きさがあまり小さくならずに、横に倒す形で保持される。
【００３０】
図７（ａ）は、上記のケーブル１０５がケーブル矯正部１０２ここではフックで矯正したときの構成を断面図として示したものである。ｈ１はケーブル矯正部１０２の上部の高さである。Ｌ０はケーブル１０５の引出しの中心位置から、フック１０２で、ケーブルを下向きに固定する為のケーブル１０５が一番最初に矯正される部分までの位置を示す。一般的に、ケーブル１０５のループ部分の高さは、通常の使用範囲である、ケーブル１０５の弾性特性から、Ｌ０にほぼ比例している。Ｌ０を長くとれば、必然的にｈ２は高くなる。しかし、ケーブル１０５は塑性特性も持っており、Ｌ０を近づけてケーブル１０５が下コネクタ１０３直近にくるようにフック１０２で固定すると、ケーブル１０５の高さは、あまり変化しない。Ｌ０の長さが短いと、ケーブル１０５はフック１０２で滑らず、そのままの高さで固定されてしまう。本発明では、このｈ２を下げることが重要である。そこで、上記の時は、ケーブル１０５を抑え、或いは引っ張りながらフック１０２で固定する必要がある。
【００３１】
本発明で想定しているコネクタとケーブルには比較的周波数が高い信号系や、制御信号などを含む複数のケーブルを想定している。例えば、複写機の画像信号の伝送系等、画像データや、制御信号を含んだときである。このとき、信号伝送系には差動信号で送ったり、画像信号によってケーブル自身が放射ノイズを発生することはコモンモードチョークの利用などで大きく低減されている。しかし、コネクタ直前の信号系の対策があっても、コネクタ近傍の基板上では、画像信号のクロックや画像信号等が配線されており比較的高い状態になっている。
【００３２】
こうした潜在的な使用周波数の高調波は、ケーブル等があると、アンテナとして放射される。こうした現象は一般的で、信号系への対策だけでは収まらず、ケーブル全体へのコア等で対策しているのが現状である。
【００３３】
この要因を見ていくと、信号系等のケーブルへの直接的な放射ノイズ成分の他に、基板で持っていた成分がコネクタやループ状に高くなったケーブルから出ていることが推定される。これは、アンテナの利得が基板グランドに対し、Δｈ即ち、ｈ２が支配している為である。ここでは、ｈ２が１０ｍｍ程度で従来と比較して絶対値的な高さは少ないが、潜在的な基板の放射ノイズの成分を持っていると、ｈ２の１０ｍｍの差は遠方界の放射ノイズで見ると大きな差を生じる。
【００３４】
このように、ｈ２が最小となる様にＬ０を決めればよい。又、ケーブル１０５によってはフック１０２で固定できないときもあるので、ｈ０の巾を取ったり、金属などの塑性材料を使用してもよい。
【００３５】
上記のようにケーブル１０５の小さなループが出来ないときは、ループ部分を倒して、フック１０２で固定しても良い。
【００３６】
以上説明したように、本発明の構成とフックによりループ高さを下げることで放射ノイズの抑制が可能となる効果を奏する。
【００３７】
［第２の実施の形態］
図２（ａ）は本発明の第２の実施の形態に係る電子部品が搭載されるプリント基板上のコネクタに外側から固定する共に、上部にヘッドを設けたことを特徴とするケーブル矯正部材２０１及び、該部材を用いてケーブル１０５を固定したその矯正構造を示す説明図である。
【００３８】
（ｂ）は本発明の第２の実施の形態に係るケーブル矯正部２０２の上面図、側面図である。
【００３９】
上記構成を詳述すると、本発明のケーブル矯正部材２０１を使用してケーブル１０５を矯正して固定したものである。
【００４０】
実施例１の様に、上コネクタ１０４及びケーブル１０５は同一構成で、下コネクタ１０３のフック１０２は無い一般的なコネクタである。この上コネクタ１０４の外側にケーブル１０５を通すための開口を設けコネクタの３辺を囲うように構成した部分と、上面にケーブル１０５を押さえる様に突起即ち、ケーブル矯正部２０２を取り付けた構造である。更に、このケーブル矯正部２０２を使用して、コネクタ脱着用に設けたケーブル１０５のループ状の遊びを押さえることで、ケーブル１０５の垂直成分による放射ノイズの抑制を可能としたものである。
【００４１】
このとき、ケーブル１０５を強く押さえることになるので、ケーブル１０５の弾性で抜けることが考えられるので、ハウジングストッパ２０４が着く構造が望ましい。
【００４２】
更に、矯正部の構造は、ループ状にして、先端が下コネクタ１０３より低い位置に設ければよい。
【００４３】
以上説明したように、本発明の第２の実施の形態によれば、上記第１の実施の形態と同様に、電子機器のケーブル１０５のループ部分による放射ノイズをより効果的に抑制が可能となる効果を奏する。
【００４４】
［第３の実施の形態］
図６（ａ）は本発明の第１の実施の形態に係る回路基板がシールド材で覆われ、前記上コネクタ１０４に繋がるケーブル１０５が、該シールド材の開口部から外に引き出された構成において、開口部エッジを保護する部材３０３にシールド材の下板金３０５内面の方向にひさし状の突起をつけたことを特徴としたケーブル矯正部材６０１、及び、該部材でコネクタ直後のケーブル１０５を押さえて引き出す矯正構造を示す説明図である。
【００４５】
図６（ｂ）は本発明の矯正部材を使用したケーブル、開口部の断面図である。
【００４６】
図３（ａ）はこの構成の矯正部材３０１の上面図、側面図である。
【００４７】
上記構成は、ケースエッジ保護・固定部３０３にケーブル１０５を通して、ケーブル矯正部３０２で上部より押さえるように、且つケーブル１０５を引くように、可倒部を倒し、ロックすることで、図３（ｂ）の様に、ケーブル１０５が矯正された状態になる。
【００４８】
図４では上記構成の矯正部材４０１が固定されたタイプで、下板金に筐体エッジ保護・固定部４０３の溝で固定される。ケーブル１０５はケーブル矯正部４０２の横に向き合って設けた弾性部分に押し込み、ケーブル矯正部４０２側に移動し、ケーブル１０５のループ部分の高さを押さえた状態になる。
【００４９】
図５はケーブル１０５を下板金３０５の開口部６０７に先に通し、後から開口エッジをスライドさせケーブル矯正部材５０１を固定し、ケーブル１０５のループ部分の高さを押さえた状態になる。
【００５０】
これら上記のような構造とすることにより、即ち、プリント基板から立ち上がったケーブル１０５を低く抑制することでき、放射ノイズの抑制が可能である。
【００５１】
以上説明したように、本発明の第３の実施の形態によれば、上記第１の実施の形態と同様に、プリント基板やケーブルによる放射ノイズの漏れを減衰させ、効果的な放射ノイズの抑制が可能となる効果を奏する。
【００５２】
［本発明の実施形態と従来例との比較例］
次に、上述した本発明の実施形態と従来例との比較例を説明する。一般に基板やケーブルからの放射ノイズ成分が多いときは、基板全体をシールドケースで囲い、放射ノイズの漏洩を防止している。しかし、ケーブルが外に引き出されるときは、シールドケースの下板金に開口を設けケーブルを引き出す構造になっている。このため、ケーブルからの放射ノイズの発生を低下させるような構造であっても、この開口からの基板や他の内部ケーブル等からの放射ノイズの漏れが防止できていないのが現状である。
【００５３】
図８は従来例のケーブル１０５、開口部６０７の断面図である。
【００５４】
プリント基板３０４がシールド材下板金３０５上に固定されている。コネクタは周辺から７ｍｍの位置に半田付けされ、上コネクタ１０４からケーブル１０５がループ状に高さ２５ｍｍで引き出され、下板金３０５の開口部６０７を通りシールド材の外に出ている。
【００５５】
一般にインターフェース関係の搭載される基板は、基板周辺に多くのコネクタが配置されている。これは、クロス配線によるグランドパターンの切断で放射ノイズが増加することを避ける為である。従って、コネクタはできるだけ基板の周辺に配置される。又、コネクタは脱着をし易く、且つスペースを少なくする為、上向きに配置され、ケーブルの遊びを残すことが必然となっている。
【００５６】
更に、これらの基板の一部には、使用周波数が高い例が多く、基板のノイズレベルも高く、これを押さえる為にシールドケースを取り付ける例も多い。
【００５７】
従って、必然的に一部の２０ＭＨｚクラスの高い周波数を出力するコネクタ周辺では、ループ状のケーブル構造の高さの要因で放射ノイズの漏洩が起こっているといえる。
【００５８】
これに対し、本発明の第１〜第３の実施の形態では、上述したように、電子機器による放射ノイズの漏れを減衰させ、安価で効果的な抑制が可能となる。
【００５９】
【発明の効果】
以上説明したように、請求項１〜８記載のケーブル矯正構造によれば、電子部品が搭載される回路基板の放射ノイズの抑制が可能となる効果を奏する。
【図面の簡単な説明】
【図１】本発明の第１の実施の形態に係るコネクタ側面にケーブル矯正部材を取り付けるとともに、部材にケーブルを通してループを小さくした構造を示した説明図
【図２】（ａ）は本発明の第２の実施の形態に係るコネクタにハウジング状に固定し、上部にケーブル矯正部材を取り付けるとともに、部材にケーブルを通してループを小さくした構造を示した説明図、（ｂ）は矯正部の上面、側面の透視図
【図３】（ａ）は本発明の第３の実施の形態に係るシールド材の下ケースに取り付けたケーブル保護部材に取り付ける矯正部材の上面、側面を示す透視図、（ｂ）は部材にケーブルを引き出し、ケーブルのループを小さくした構造を示す説明図
【図４】本発明の第３の実施の形態に係る矯正部材の他の構造例を示す説明図
【図５】本発明の第３の実施の形態に係る矯正部材の他の構造例を示す説明図
【図６】（ａ）は本発明の第３の実施の形態に係る矯正部材にケーブルのループを小さくしてケーブルを通した構造例を示す説明図、（ｂ）は該部材部分での切断面を示す側面図
【図７】（ａ）本発明の第１の実施の形態に係るコネクタ側面の矯正部材の位置によるケーブル矯正構造を示す原理図、（ｂ）本発明の第２の実施の形態に係るコネクタ側面の矯正部材の位置によるケーブル矯正構造を示す原理図、（ｃ）本発明の第３の実施の形態に係るコネクタ側面の矯正部材の位置によるケーブル矯正構造を示す原理図
【図８】従来例にかかわるコネクタ部分での切断面を示す側面図
【図９】従来例にかかわるケーブル固定構造に関する説明図
【図１０】従来例にかかわるケーブル固定構造に関する説明図
【符号の説明】
１０１  ケーブル矯正部材
１０２  フック
１０３  下コネクタ
１０４  上コネクタ
１０５  ケーブル
２０１  ケーブル矯正部材
２０２  ケーブル矯正部
２０３  コネクタハウジング
２０４  ハウジングストッパ
３０２  ケーブル矯正部
３０３  ケースエッジ保護部
３０４  プリント基板
３０５  下板金
４０１  ケーブル矯正部材
４０２  ケーブル矯正部
４０３  筐体エッジ保護・固定部
５０１  ケーブル矯正部材
５０２  ケーブル矯正部
５０３  筐体エッジ保護・固定部
６０１  ケーブル矯正部材
６０２  ケーブル矯正部
６０４  上板金
６０７  開口部
６０８  上下ケース固定部
【図１】
2004235398.tif 000003
【図２】
2004235398.tif 000004
【図３】
2004235398.tif 000005
【図４】
2004235398.tif 000006
【図５】
2004235398.tif 000007
【図６】
2004235398.tif 000008
【図７】
2004235398.tif 000009
【図８】
2004235398.tif 000010
【図９】
2004235398.tif 000011
【図１０】
2004235398.tif 000012